(57)【要約】【課題】首の皺を容易に除去できるとともに肌に優しい美容器具を提供する。【解決手段】本考案の美容器具１は、可撓性を有する帯状に形成された基材１０と、その基材１０の長手方向の略中央部に内側に湾曲して設けられた弾性を有するリブ材２０と、当該基材１０の両側端部及びリブ材２０の一部を含む内側全面に取り付けられ、利用者の皮膚に貼着させる粘着体３５を含む表面材３０と、を備えている。【選択図】図２
0003185270.tif 000002
【実用新案登録請求の範囲】
【請求項１】
可撓性を有する帯状に形成された基材と、
その基材の長手方向の略中央部に内側に湾曲して設けられた弾性を有するリブ材と、
当該基材の両側端部及び前記リブ材の一部を含む内側全面に取り付けられ、利用者の皮膚に貼着させる粘着体を含む表面材と、
を備えていることを特徴とする美容器具。
【請求項２】
前記リブ材は格子状に形成されていることを特徴とする請求項１に記載の美容器具。
【請求項３】
前記基材には、前記基材の両側端部を超えて外側へと張り出されて配置される帯状に形成された内側に粘着体を含む補強部材が更に設けられていることを特徴とする請求項１、又は２に記載の美容器具。
【考案の詳細な説明】
【技術分野】
【０００１】
本考案は、首の皺、たるみを目立たなくし首元をきれいに見せるための美容器具に関する。
【背景技術】
【０００２】
加齢による首の皺やたるみを一時的に目立たなくするためのしわ取り器具が従来から知られている（特許文献１参照）。この種のしわ取り器具は、首の皺を後方へとひっぱりながら集めた皺を挟み込むことで正面から視認した際に首の皺やたるみを目立たなくさせるものである。
【０００３】
特許文献１に示す皺伸ばし器は、弾力性を有する金属性の湾曲部材の両端に挟み具を備え、首の皺を後方へとひっぱりつつ集めた皺をこの挟み具によって押さえ付けるものである。
【先行技術文献】
【特許文献】
【０００４】
【特許文献１】実用新案登録第３０５５１２２号公報
【考案の概要】
【考案が解決しようとする課題】
【０００５】
しかしながら、特許文献１に示す皺伸ばし器は、挟み具の略中央部に湾曲部材が取り付られているため、この取付部分に応力が集中し、特に、肌の弱い利用者が使用すると、当該応力が集中する部分の肌がかぶれたり、ただれたりする等の問題がある。
【０００６】
そこで、本考案は、このような問題の解消を一つの課題とし、その目的は、首の皺やたるみを簡単にきれいに目立たなくすると共に首肌に優しい美容器具を提供するものである。
【課題を解決するための手段】
【０００７】
上記課題を解決するため、請求項１に記載の美容器具（１）は、可撓性を有する帯状に形成された基材（１０）と、その基材の長手方向の略中央部に内側に湾曲して設けられた弾性を有するリブ材（２０）と、当該基材の両側端部及び前記リブ材の一部を含む内側全面に取り付けられ、利用者の皮膚に貼着させる粘着体（３５）を含む表面材（３０）と、を備えていることを特徴とする。
【０００８】
また、請求項２に記載の美容器具は、前記リブ材は格子状に形成されていることを特徴とする。
【０００９】
また、請求項３に記載の美容器具は、請求項１、又は２に記載の美容器具において、前記基材には、前記基材の両側端部を超えて外側へと張り出されて配置される帯状に形成された内側に粘着体（７１）を含む補強部材（７０）が更に設けられていることを特徴とする。
【考案の効果】
【００１０】
肌に負担をかけることなく、首の皺やたるみを簡単に目立たなくし首肌をきれいにし若々しく見せることが可能である。
【図面の簡単な説明】
【００１１】
【図１】本実施形態の美容器具の一例を示す外観斜視図である。
【図２】美容器具を伸ばした状態の模式図を示し、図２（ａ）は正面図、図２（ｂ）は平面図である。
【図３】美容器具を首に取り付けた状態の断面図である。
【図４】美容器具の使用例を説明するための図である。
【図５】他の美容器具の一例を示す外観斜視図である。
【考案を実施するための形態】
【００１２】
以下、図面を参照して本考案の実施形態について説明する。なお、便宜上、図３に示すように、美容器具の使用時において、首に接する側を内側とし、外部に露出する側を外側とし、図２（ｂ）において、左右方向を長さ方向又は横方向とし、上下方向を幅又は縦方向として説明する。
【００１３】
（第１の実施形態）
本実施形態の美容器具１は、帯状に形成された半透明状の基材１０と、この基材１０の中央部に設けられたリブ材２０と、基材１０の内側表面に設けられた表面材３０と、を備えている。
【００１４】
基材１０は、可撓性を有する素材が用いられ、その形状は、図２に示すように、長さ方向において均等の幅を有する帯状に形成され、その厚みｔは、３ｍｍ程度であることが好ましい。基材１０は、上下左右方向に伸縮性を有する素材が好ましく、好適には、一般的にシリコーンが用いられる。
【００１５】
リブ材２０は、弾性部材（例えば、ポリプロピレン等の成分によって略格子状に成型された弾性を有するプラスチック）が用いられ、内側に湾曲するようにして基材１０の略中央部に内包されて一体的に形成されている。なお、このリブ材２０は、内側に湾曲するようにして左右方向に延びる線状に成型された弾性を有する部材を基材１０の幅方向に複数設けるようにしても構わない。また、当該リブ材２０は、基材１０の材質等によっては、基材１０の外側に取り付けられても構わない。
【００１６】
表面材３０は、剥離紙３１と粘着体３５とを備え、基材１０の両側端部の内側表面に平坦状に貼着されている。剥離紙３１は、粘着体３５の表面を保護し、使用時には、粘着面から容易に剥離できるものであれば材質は限定されないが、例えば、シリコーン離型処理された紙やポリプロピレン等のフィルム等が用いられる。一方、粘着体３５に用いられる粘着剤には、例えば、アクリル系、ゴム系、シリコーン系等があるが、皮膚への低刺激性からシリコーン系粘着剤が好ましい。
【００１７】
この表面材３０は、少なくとも基材１０の両側端からリブ材２０の端部を超えて中央部側に延びて配置されている。好適には、この表面材３０は、リブ材２０の左右両側に１／３程度、重ね合わされるように配置されるが、基材１０の内側面のすべてに表面材３０が配置されても構わない。
【００１８】
そして、本実施形態の美容器具１は、図３に示すように、美容器具１の表面材３０の剥離紙３１を剥がし粘着体３５を露出させる一方で、首５０の皮膚のたるみを後方へと引き寄せ、後方へと引き寄せた皮膚４５をリブ材２０の撓みによって首５０との間に生じる隙間ｓに挟み込みつつ、その首の裏側周囲に貼り付ける。
【００１９】
従来のしわ取り器具は、しわを引っ張ることで当該岩が除去された状態を保持するために皮膚を引っ張りながら押さえつけて装着するため、貼着部分に過大に力が加わり皮膚が炎症を起こしただれるなどの原因となっていたものの、本実施形態の美容器具は、上述したように皮膚のたるみを後方へ引き寄せることで首の皺を目立たなくし、その状態を維持することで正面から視認した際に首をすっきり綺麗に見せることができるものである。また、後方へと移動した皮膚は、美容器具１の中央部で保持され、利用者の髪が降ろされることでこの部分が隠れるため、見栄えも良い。
【００２０】
また、本実施形態の美容器具１は、首５０の皮膚を基材１０の全面で包み込んで押さえるだけで取り付けられるので、他のしわ取り器具のように肌を引っ張り取り付ける事で力が過大に加わり、皮膚の一部に炎症が生じる等を抑止することができる。また、肌が弱い人でも肌炎症を起こすことがなく安心して使用できる事を最大の特徴とした皮膚に優しい美容器具である。
【００２１】
次に、図３及び図４を用いて、本実施形態の美容器具１の使用方法を説明する。
【００２２】
まず、図４（ａ）に示すように、利用者の髪４１が邪魔にならないように留め具４２によって留める一方で、図２に示す美容器具１の表面材３０の剥離紙３１を剥がし粘着体３５を露出させる。
【００２３】
また、石鹸で首５０の裏側の汗や脂を洗い流し、タオルで肌の水分を拭き取った後、図４（ｂ）に示すように、両手でやさしく首５０の皮膚を後方中央に引き寄せる。
【００２４】
次に、図３及び図４（ｃ）に示すように、美容器具１を首５０の裏側周囲に配置し、引き寄せた皮膚４５を、リブ材２０の撓みによって首５０との間に生じる隙間ｓに挟み込む。
【００２５】
そして、図４（ｄ）に示すように、首５０を前後左右に動かしながら基材１０の左右を指でしっかりと押さえ、粘着体３５を首５０の皮膚に貼着させる。基材１０は、左右上下に柔軟性を有するため、首を動かしながら貼着することで、簡単に剥がれにくくし、その取り付けを確実に行うことが可能である。
【００２６】
なお、基材１０及び表面材３０は、切断可能となっており、首の太さに応じて、正面から基材の端部が見えるような場合には、カットしてサイズ調整を行うことが好ましい。
【００２７】
（第２の実施形態）
次に、図５を用いて美容器具の他の実施形態を説明する。なお、本実施形態は基材の外面に補強部材が設けられた点で異なり、その他の構成は基本的に同じである。したがって、上述した第１の実施形態の美容器具１との相違点のみを説明し、上記第１の実施形態で示した同一部分は同一符号で示し、その説明も省略する。
【００２８】
上記第１の実施形態の美容器具１が表面材３０の粘着体３５のみで皮膚に美容器具１を取り付けるのに対して、本実施例の美容器具１Ａは、上述した表面材３０及び補強部材７０により、皮膚に美容器具１Ａを取り付ける点で異なる。
【００２９】
図５に示すように、本実施例の美容器具１Ａは、基材１０の外面を覆うようにして補強部材７０が取り付けられる。
【００３０】
補強部材７１は、図５に示すように、長さ方向において均等の幅を有する帯状に形成される基体を備える。この基体は、少なくともその両端部が、基材１０の両端部から左右両側に突出する長さを有している。
【００３１】
また、この基体には、粘着体７１と剥離紙とを備え、粘着体７１によってこの基体が基材１０の外面に貼着される。
【００３２】
そして、利用者の皮膚には、基材１０の両側端部を超えて外側へと張り出されて配置される補強部材７１の粘着体７１と表面材３０の粘着体３５により貼着され、上述した第１の実施形態の美容器具と比較して更に強固に取り付けられる。
【００３３】
剥離紙は、粘着体７１の表面を保護し、使用時には、粘着面から容易に剥離できるものであれば材質は限定されないが、例えば、シリコーン離型処理された紙やポリプロピレン等のフィルム等が用いられる。一方、粘着体７１に用いられる粘着剤には、例えば、アクリル系、ゴム系、シリコーン系等があるが、皮膚への低刺激性からシリコーン系粘着剤が好ましい。
【００３４】
なお、本考案は上記実施の形態に限定されるものではなく、本考案の要旨の範囲内で種々変更可能である。
【符号の説明】
【００３５】
１  美容器具
１０  基材
２０  リブ材
３０  表面材
３５、７１  粘着体
７０  補強部材
【図１】
0003185270.tif 000003
【図２】
0003185270.tif 000004
【図３】
0003185270.tif 000005
【図４】
0003185270.tif 000006
【図５】
0003185270.tif 000007